(57)【要約】【課題】常にスケジュール送信を可能にするとともに、伝送効率の低下を防ぐこと。【解決手段】通信端末装置１００は、基地局からの指示により上り回線の送信電力を設定して送信するスケジュール送信を行う。Ｅ−ＲＧＣＨ復調部１０４は、ベースバンド信号を復調及び復号して、ＤｏｗｎまたはＨｏｌｄを取得する。送信レート決定部１０６は、ＤｏｗｎまたはＨｏｌｄに従って設定したＳＧにより送信レートを決定し、ＨＡＲＱプロセスの１周期前にスケジュール送信を行っていない場合には、Ｅ−ＲＧＣＨ復調部１０４により新たに取得したＤｏｗｎを無視して送信レートを決定する。【選択図】図２
2011019107.tif 000002
【特許請求の範囲】
【請求項１】
通信相手からの指示により上り回線の送信電力を設定して送信するスケジュール送信を行う通信端末装置であって、
受信信号を復号して、上り回線の前記送信電力に関する値を変更するか否かを指示する情報を取得する取得手段と、
前記情報に従って設定した前記送信電力に関する値により送信レートを決定し、所定の周期の１周期前に前記スケジュール送信を行っていない場合には、前記取得手段により新たに取得した前記情報を無視して送信レートを決定する決定手段と、
を具備する通信端末装置。
【請求項２】
前記決定手段は、前記１周期前の前記送信電力が「０」以外の場合において、前記情報により前記変更を指示された際に前記１周期前の前記送信電力に関する値により送信レートを決定し、前記１周期前の前記送信電力が「０」の場合において、前記情報により指示された前記変更を無視して、前回送信時の前記送信電力に関する値により送信レートを決定する請求項１記載の通信端末装置。
【請求項３】
通信相手からの指示により上り回線の送信電力を設定して送信するスケジュール送信を行う通信端末装置における送信レート決定方法であって、
受信信号を復号して、上り回線の前記送信電力に関する値を変更するか否かを指示する情報を取得するステップと、
前記情報に従って設定した前記送信電力に関する値により送信レートを決定し、所定の周期の１周期前に前記スケジュール送信を行っていない場合には、新たに取得した前記情報を無視して送信レートを決定するステップと、
を具備する送信レート決定方法。
【発明の詳細な説明】
【技術分野】
【０００１】
本発明は、例えばハイブリッド自動再送要求(以下、「ＨＡＲＱ」と記載する)プロセスの周期毎にスケジュール送信する通信端末装置及び送信レート決定方法に関する。
【背景技術】
【０００２】
近年、Ｗ−ＣＤＭＡ（Wideband-Code Division Multiple Access）における上り回線のパケット通信を高速化する伝送規格として、ＨＳＵＰＡ（High Speed Uplink Packet Access）が検討されている。ＨＳＵＰＡにおいては、上り回線パケットを伝送する専用のチャネルとしてＥ−ＤＣＨ（Enhanced-Dedicated CHannel）が設けられる。
【０００３】
また、従来、ＨＳＵＰＡにおいて、端末は、Ｎｏｎ−ｓｅｒｖｉｎｇ  Ｅ−ＲＧＣＨ（拡張相対的許可チャネル：Enhanced Relative Grant CHannel）のＤｏｗｎを受信した場合、ＨＡＲＱプロセスの１周期前のスケジュール（Scheduled）送信の電力から、スケジュール送信の送信レートを決定するＳＧ（サービング許可：Serving Grant）を算出するように規定されている（例えば、非特許文献１）。ここで、ＳＧは、基地局が制御する最大電力比（Ｅ−ＤＰＤＣＨ／ＤＰＣＣＨ）であり、通信端末装置で保持されるものである。また、スケジュール送信とは、ＳＧにより許容される最大電力比を用いて、上り回線の送信電力を設定して送信を行うことを意味する。
【０００４】
図１は、上記の端末の動作を示す図である。図１より、端末は、ＨＡＲＱプロセス＃ｍ（ＨＰ＃ｍ）の送信３において、基地局から送信されたＮｏｎ−ｓｅｒｖｉｎｇ  Ｅ−ＲＧＣＨ１の復号結果がＨｏｌｄの場合、１つ前のＨＡＲＱプロセスであるＨＰ＃（ｍ−１）の送信である送信２のＳＧを、送信３のＳＧとして算出するとともに送信レートを決定し、基地局に送信する。また、端末は、ＨＰ＃ｎの送信５において、基地局から送信されたＮｏｎ−ｓｅｒｖｉｎｇ  Ｅ−ＲＧＣＨ２の復号結果がＤｏｗｎの場合、ＨＡＲＱプロセスの１周期前であるＨＰ＃ｎの送信４のスケジュール送信の電力からＳＧを算出するとともに送信レートを決定し、基地局に送信する。
【０００５】
この際、基地局は、端末からのスケジュール送信（送信４）の電力に対して、スケジュール送信の電力が大きすぎるゆえに干渉電力が大きく、端末のスケジュール送信の電力を下げてほしい場合は、端末に対してＮｏｎ−ｓｅｒｖｉｎｇ  Ｅ−ＲＧＣＨ（Ｎｏｎ−ｓｅｒｖｉｎｇ  Ｅ−ＲＧＣＨ２）のＤｏｗｎを送信すると予想される。
【先行技術文献】
【非特許文献】
【０００６】
【非特許文献１】3GPP TS 25.321 V6.180  11.8.1.3.1 Baseline Procedure、9.2.5.2.1 Relative Grants、3.1.1 E-DCH Specific Definitions
【発明の概要】
【発明が解決しようとする課題】
【０００７】
しかしながら、従来の装置においては、ＨＡＲＱプロセスの１周期前にスケジュール送信をしていなければ、スケジュール送信の電力は「０」になる。この際、復号結果がＤｏｗｎの場合には、ＨＡＲＱプロセスの１周期前のスケジュール送信の電力からＳＧを算出するので、算出したＳＧも「０」になる。この結果、スケジュール送信ができなくなり、伝送効率が低下するという問題がある。また、基地局は、端末からのスケジュール送信の電力が「０」であれば、干渉電力が小さいので、端末に対してＮｏｎ−ｓｅｒｖｉｎｇ  Ｅ−ＲＧＣＨのＤｏｗｎを送信しないものと予想される。しかし、端末がＮｏｎ−ｓｅｒｖｉｎｇ  Ｅ−ＲＧＣＨをＤｏｗｎと誤判定すると、スケジュール送信ができなくなり、伝送効率が低下するという問題がある。
【０００８】
本発明の目的は、常にスケジュール送信を可能にすることができるとともに、伝送効率の低下を防ぐことができる通信端末装置及び送信レート決定方法を提供することである。
【課題を解決するための手段】
【０００９】
本発明の通信端末装置は、通信相手からの指示により上り回線の送信電力を設定して送信するスケジュール送信を行う通信端末装置であって、受信信号を復号して、上り回線の前記送信電力に関する値を変更するか否かを指示する情報を取得する取得手段と、前記情報に従って設定した前記送信電力に関する値により送信レートを決定し、所定の周期の１周期前に前記スケジュール送信を行っていない場合には、前記取得手段により新たに取得した前記情報を無視して送信レートを決定する決定手段と、を具備する構成を採る。
【００１０】
本発明の送信レート決定方法は、通信相手からの指示により上り回線の送信電力を設定して送信するスケジュール送信を行う通信端末装置における送信レート決定方法であって、受信信号を復号して、上り回線の前記送信電力に関する値を変更するか否かを指示する情報を取得するステップと、前記情報に従って設定した前記送信電力に関する値により送信レートを決定し、所定の周期の１周期前に前記スケジュール送信を行っていない場合には、新たに取得した前記情報を無視して送信レートを決定するステップと、を具備するようにした。
【発明の効果】
【００１１】
本発明によれば、常にスケジュール送信を可能にすることができるとともに、伝送効率の低下を防ぐことができる。
【図面の簡単な説明】
【００１２】
【図１】従来の端末の動作を示す図
【図２】本発明の実施の形態に係る通信端末装置の構成を示すブロック図
【図３】本発明の実施の形態に係る通信端末装置の動作を示す図
【発明を実施するための形態】
【００１３】
以下、本発明の実施の形態について、図面を参照して詳細に説明する。
【００１４】
（実施の形態）
図２は、本発明の実施の形態に係る通信端末装置１００の構成を示すブロック図である。通信端末装置１００は、例えばＨＳＵＰＡの無線通信システムに適用できる。
【００１５】
図２に示すように、通信端末装置１００は、アンテナ１０１と、送受信共用器１０２と、受信処理部１０３と、Ｅ−ＲＧＣＨ復調部１０４と、ＳＧ算出部１０５と、送信レート決定部１０６と、記憶部１０７と、Ｅ−ＤＰＤＣＨ変調部１０８と、送信処理部１０９とから主に構成される。以下に、各構成について、詳細に説明する。
【００１６】
アンテナ１０１は、図示しない基地局から送信されたＲＦ信号を受信して送受信共用器１０２へ出力する。また、アンテナ１０１は、送受信共用器１０２から入力したＲＦ信号を基地局へ送信する。
【００１７】
送受信共用器１０２は、アンテナ１０１から入力したＲＦ信号の受信処理部１０３への出力と、送信処理部１０９から入力したＲＦ信号のアンテナ１０１への出力とを切り替える。
【００１８】
受信処理部１０３は、送受信共用器１０２から入力したＲＦ信号をベースバンド信号に変換してＥ−ＲＧＣＨ復調部１０４へ出力する。
【００１９】
Ｅ−ＲＧＣＨ復調部１０４は、受信処理部１０３から入力したベースバンド信号を復調及び復号して、Ｎｏｎ−ｓｅｒｖｉｎｇ  Ｅ−ＲＧＣＨによる指示がＨｏｌｄとＤｏｗｎの何れであるのかを判定する。この際、Ｅ−ＲＧＣＨ復調部１０４は、記憶部１０７に記憶されるＨＡＲＱプロセスの１周期前のスケジュール送信の電力が「０」の場合には、ＨｏｌｄまたはＤｏｗｎの判定結果を無視する。ここで、ＨｏｌｄまたはＤｏｗｎの判定結果を無視するとは、Ｎｏｎ−ｓｅｒｖｉｎｇ  Ｅ−ＲＧＣＨによる指示がＤｏｗｎの場合において、Ｈｏｌｄと判定することを意味する。また、スケジューリング送信の電力が「０」の場合とは、スケジューリング送信をしていないことを意味する。そして、Ｅ−ＲＧＣＨ復調部１０４は、判定結果をＳＧ算出部１０５へ出力する。
【００２０】
ＳＧ算出部１０５は、Ｅ−ＲＧＣＨ復調部１０４から入力した判定結果と、記憶部１０７に記憶されているＨＡＲＱプロセスのスケジュール送信の電力とに基づいて、ＳＧを算出する。具体的には、ＳＧ算出部１０５は、Ｅ−ＲＧＣＨ復調部１０４における判定結果がＤｏｗｎの場合には、ＨＡＲＱプロセスの１周期前のスケジュール送信の電力より小さいスケジュール送信の電力を設定するためのＳＧを算出する。また、ＳＧ算出部１０５は、Ｅ−ＲＧＣＨ復調部１０４における判定結果がＨｏｌｄの場合には、１つ前のＨＡＲＱプロセスにおいて算出したＳＧと同一のＳＧを算出する。そして、ＳＧ算出部１０５は、算出したＳＧを送信レート決定部１０６へ出力する。
【００２１】
送信レート決定部１０６は、ＳＧ算出部１０５から入力したＳＧに基づいて、スケジュール送信の送信レートを決定する。また、送信レート決定部１０６は、決定した送信レートによりスケジュール送信されるようにＥ−ＤＰＤＣＨ変調部１０８を制御する。また、送信レート決定部１０６は、決定したスケジュール送信の送信レートに対応したスケジュール送信の電力を記憶部１０７に記憶させる。
【００２２】
記憶部１０７は、送信レート決定部１０６において決定した送信レートに対応するスケジュール送信の電力を、ＨＡＲＱプロセス数分記憶する。
【００２３】
Ｅ−ＤＰＤＣＨ変調部１０８は、送信レート決定部１０６の制御に従って、ベースバンドのＥ−ＤＰＤＣＨの変調信号を作成し、作成したＥ−ＤＰＤＣＨの変調信号を送信処理部１０９へ出力する。
【００２４】
送信処理部１０９は、Ｅ−ＤＰＤＣＨ変調部１０８から入力したベースバンドの変調信号をＲＦ信号に変換して送受信共用器１０２へ出力する。
【００２５】
次に、通信端末装置１００の動作について、図３を用いて説明する。図３は、通信端末装置１００の動作を説明する図である。
【００２６】
図３より、ＨＡＲＱプロセス＃ｍ（ＨＰ＃ｍ）の送信３において、ＨＡＲＱプロセスの１周期前の送信１がスケジュール送信を行っていない場合に、Ｅ−ＲＧＣＨ復調部１０４は、基地局からのＮｏｎ−ｓｅｒｖｉｎｇ  Ｅ−ＲＧＣＨ１の復号結果がＤｏｗｎの場合であってもＨｏｌｄと判定する。そして、ＳＧ算出部１０５は、１つ前のＨＡＲＱプロセスであるＨＰ＃（ｍ−１）の送信である送信２のＳＧを、送信３の送信レートを決定する際のＳＧとして算出し、送信レート決定部１０６は、送信３の送信レートを決定し、通信端末装置１００は決定した送信レートの送信信号を基地局に送信する。なお、ＨＡＲＱプロセスの１周期前にスケジュール送信を行っている場合において、Ｎｏｎ−ｓｅｒｖｉｎｇ  Ｅ−ＲＧＣＨ１の復号結果がＤｏｗｎの場合には、従来と同様に、ＳＧ算出部１０５は、１周期前のＨＡＲＱプロセスのＳＧによりＳＧを算出する。
【００２７】
また、Ｅ−ＤＣＨにおいて、１０ｍｓｅｃＴＴＩ（Transmission Time Interval）の場合には、４０ｍｓｅｃ前にＥ−ＤＰＤＣＨにてスケジュール送信の電力が「０」の場合は、Ｎｏｎ−ｓｅｒｖｉｎｇ  Ｅ−ＲＧＣＨの復号結果がＤｏｗｎの場合に、復号結果を無視してＨｏｌｄと判定する。また、Ｅ−ＤＣＨにおいて、２ｍｓｅｃＴＴＩの場合には、１６ｍｓｅｃ前にＥ−ＤＰＤＣＨにてスケジュール送信の電力が「０」の場合は、Ｎｏｎ−ｓｅｒｖｉｎｇ  Ｅ−ＲＧＣＨの復号結果がＤｏｗｎの場合に、復号結果を無視してＨｏｌｄと判定する。また、Ｅ−ＤＣＨのＴＴＩが１０ｍｓｅｃＴＴＩの場合には、ＨＡＲＱプロセス数は４であり、Ｅ−ＤＣＨのＴＴＩが２ｍｓｅｃの場合には、ＨＡＲＱプロセス数は８となる。
【００２８】
このように、本実施の形態によれば、ＨＡＲＱプロセスの１周期前においてスケジュール送信をしていない場合に、スケジュール送信用のＳＧを算出する際に用いる、Ｎｏｎ−ｓｅｒｖｉｎｇ  Ｅ−ＲＧＣＨのＤｏｗｎの判定結果をＨｏｌｄと判定することにより、常にスケジュール送信を可能にすることができるとともに、伝送効率の低下を防ぐことができる。また、本実施の形態によれば、ＨＡＲＱプロセスの１周期前においてスケジュール送信をしていない場合に、判定結果を無視するので、Ｄｏｗｎと誤判定することを防ぐことができ、伝送効率の低下を確実に防ぐことができる。
【００２９】
なお、本実施の形態において、Ｅ−ＲＧＣＨによりＤｏｗｎまたはＨｏｌｄの復号結果を取得するとともにＥ−ＤＰＤＣＨの送信レートを決定したが、本発明はこれに限らず、任意のチャネルを用いてＤｏｗｎまたはＨｏｌｄの復号結果を取得するとともに任意のチャネルの送信レートを決定することができる。また、本実施の形態において、ＨＡＲＱプロセスの１周期前にスケジュール送信を行っていない場合においてＤｏｗｎの復号結果を取得した場合に、１つ前のスケジュール送信のＳＧを用いて送信レートを決定したが、本発明はこれに限らず、１周期前を除く１周期前以降の任意のスケジュール送信のＳＧを用いて送信レートを決定することができる。
【産業上の利用可能性】
【００３０】
本発明にかかる通信端末装置及び送信レート決定方法は、例えばＨＡＲＱプロセスの周期毎にスケジュール送信するのに好適である。
【符号の説明】
【００３１】
１００  通信端末装置
１０１  アンテナ
１０２  送受信共用器
１０３  受信処理部
１０４  Ｅ−ＲＧＣＨ復調部
１０５  ＳＧ算出部
１０６  送信レート決定部
１０７  記憶部
１０８  Ｅ−ＤＰＤＣＨ変調部
１０９  送信処理部
【図１】
2011019107.tif 000003
【図２】
2011019107.tif 000004
【図３】
2011019107.tif 000005